(57)【要約】【課題】従来の棟換気材の場合は、いずれも、十分な通気性能を確保しつつ、雨雪が小屋裏内へ侵入することを防止する点にのみ注意が向けられていて、防火、防炎面での配慮に欠けていたので、本発明はその点に配慮した、防火・防炎機能を有する棟換気材を提供することを課題とする。【解決手段】断面が山形で横長の金属製天板３を設け、前記天板３の幅方向両側辺の各裏面にその全長に亘って通気部材１、２を固定し、前記天板３の内天面に、長尺方向は前記通気部材１、２の内側端に沿うようにし、短尺方向は前記天板３の端縁に沿うようにして、テープ状の不燃性熱膨張材７を、その膨張時において棟開口を囲んで障壁を形成し得る大きさの四角形状に定着し、前記天板３の内天面の前記不燃性熱膨張材定着部の内側に結露防止シート９を被装したことを特徴とする。【選択図】図１
2008297811.tif 000002
【特許請求の範囲】
【請求項１】
断面が山形で横長の金属製天板を設け、前記天板の幅方向両側辺の各裏面にその全長に亘って通気部材を固定し、前記天板の内天面に、長尺方向は前記通気部材の内側端に沿うようにし、短尺方向は前記天板の端縁に沿うようにして、テープ状の不燃性熱膨張材を、その膨張時において棟開口を囲んで障壁を形成し得る大きさの四角形状に定着し、前記天板の内天面の前記不燃性熱膨張材定着部の内側に結露防止シートを被装したことを特徴とする棟換気材。
【請求項２】
前記天板を長さ方向に延長し、該延長部の幅方向両端に着座部を設けた請求項１に記載の棟換気材。
【請求項３】
前記通気部材の裏面にパッキンを定着した請求項１又は２に記載の棟換気材。
【発明の詳細な説明】
【技術分野】
【０００１】
本発明は、棟換気材、より詳細には、家屋の棟部分における換気を、雨雪の侵入を防止しつつ行うための棟換気材で、防火機能を有するものに関する。
【背景技術】
【０００２】
上記棟換気材としては、例えば特許第２６１０３４２号公報に記載のものが知られている（図５参照）。それは、棟方向に開口する多数の通気路２３を設けた２枚の板状換気部材２１、２２を逆Ｖ字形を呈するように連結したものである。
【０００３】
他の例としては、図６に示すような、山形を呈する上面板３１の幅方向両端部裏面に、それぞれ外側面Ａから内側面Ｂへと抜ける多数の通気路３４を縦横に連設した通気部材３２、３３を設置し、前記各通気部材３２、３３の下面に、そこから更に内方向に延びる下面板３８を定着し、前記各下面板３８の内端部を、前記上面板３１との間に通気スペースを残して上方に折曲することにより水切り板３９を形成して成る棟換気装置があり（特開２００１−３２３６１９号公報）、その他にも種々のものが知られている。
【０００４】
しかるに、上記従来の棟換気材の場合は、いずれも、十分な通気性能を確保しつつ、雨雪が小屋裏内へ侵入することを防止する点にのみ注意が向けられていて、防火、防炎面での配慮に欠けていた。
【０００５】
【特許文献１】特許第２６１０３４２号公報
【特許文献２】特開２００１−３２３６１９号公報
【特許文献３】特許第３２７７２３２号公報
【特許文献４】特開２００３−５６１４５号公報
【特許文献５】特開２００３−３６３１号公報
【発明の開示】
【発明が解決しようとする課題】
【０００６】
上述したように、従来の棟換気材の場合は、いずれも、十分な通気性能を確保しつつ、雨雪が小屋裏内へ侵入することを防止する点にのみ注意が向けられていて、防火、防炎面での配慮に欠けていたので、本発明はその点に配慮した、防火・防炎機能を有する棟換気材を提供することを課題とする。
【課題を解決するための手段】
【０００７】
上記課題を解決するための請求項１に記載の発明は、断面が山形で横長の金属製天板を設け、前記天板の幅方向両側辺の各裏面にその全長に亘って通気部材を固定し、前記天板の内天面に、長尺方向は前記通気部材の内側端に沿うようにし、短尺方向は前記天板の端縁に沿うようにして、テープ状の不燃性熱膨張材を、その膨張時において棟開口を囲んで障壁を形成し得る大きさの四角形状に定着し、前記天板の内天面の前記不燃性熱膨張材定着部の内側に結露防止シートを被装したことを特徴とする棟換気材である。
【０００８】
好ましくは、前記天板上に、前記天板を長さ方向に延長し、該延長部の幅方向両端に着座部を設け、また、前記通気部材の裏面にパッキンを定着する。
【発明の効果】
【０００９】
本発明は上記構成であるため、簡易な構成であって、十分な通気性能を保持しつつ、火災発生時においては、不燃性熱膨張材が膨張して棟開口を囲むように障壁を形成し、火炎並びに高熱気の屋内流入を阻止することができ、以て火勢を殺ぎ、延焼をくい止めることが可能なる効果がある。
【発明を実施するための最良の形態】
【００１０】
本発明を実施するための最良の形態につき、添付図面に依拠して説明する。図１は本発明に係る棟換気材の実施例の側面斜視図、図２はその表面側斜視図、図３はその裏面側斜視図であり、該棟換気材は、断面山形を呈する横長の金属製天板３の幅方向両側辺の裏面に、それぞれその全長に亘って延びる通気部材１、２の上面を、接着、ビス止め等によって固定して成る。
【００１１】
通気部材１、２としては、例えば、一側面から他側面に抜ける通気路８を縦横に連設したものを用いることができる。それは、通気路８を並設したプラスチック板を多数段積層して構成することができる（特許第２６１０３４２号公報等）。
【００１２】
あるいは、通気部材１、２として、ポリプロピレン等のプラスチック製プレートを加工してその表面に多数の円錐体を密に立設して成る通気プレートを用いて構成したもの（特開２００６−１０４７６７号参照）や、プラスチック成形によって、線状材を粗い網目に編成した如き円筒状の通気性パイプ（特願２００７−１１２７４４号参照）、その他任意のものを採用することができる。
【００１３】
いずれの通気部材１、２を用いる場合においても、野地板１２に当接することになるその裏面に、厚さ１ｃｍ程のパッキン４を接着等により固定することが好ましい。このパッキン４は、施工時に圧潰状態となって野地板１２に密着し、以て野地板１２を伝って棟開口１１に浸入する可能性のある雨水を遮止する役目を果たす。
【００１４】
通例天板３は、１枚の金属板を山形に折曲して構成されるが、２枚の金属板を並べ、山形に折曲可能にテープ止め等して構成することもできる。
【００１５】
本発明においては、天板３の内天面に、テープ状の不燃性熱膨張材７が、長尺方向は各通気部材１、２の内側端に沿うようにし、短尺方向は天板３の端縁に沿うようにして四角形状に定着される。その四角形の大きさは、膨張時において棟開口１１を囲んで障壁を形成し得る大きさとする。
【００１６】
好ましくは、天板３の長さ方向両端部を延長し、該延長部の幅方向両端部に着座部６を形成する。この着座部６は、施工時に野地板１２上に当接させて、本棟換気材の設置状態を安定させ、また、複数の本棟換気材を長さ方向に連結する場合に重ね合わせて接合するためのものである。着座部６は、上記延長部分を更に幅方向に延長して下方に直角に折曲し、また、更に水平方向に折曲して形成される。なお、施工時において、本棟換気材の両端開口面は適宜閉塞される。
【００１７】
天板３の内天面の不燃性熱膨張材７定着部の内側には、結露防止シート９が被装され、その部分に結露が生じて、水滴が棟開口１１内に落下することが防止される。また、天板３の適宜位置に本棟換気材を野地板１２に固定するための釘１０等を打ち込むための釘穴５が穿設される。
【００１８】
本発明に係る棟換気材は、従来のものと同様にして棟開口１１上に設置されて、従来のものと同様の通気作用を行う。もちろん、不燃性熱膨張材７が存在することによって、その通気性能が低下するおそれはない。
【００１９】
そして、火災発生時に火炎や高熱気が不燃性熱膨張材７に達すると、それが直ちに膨張して棟開口１１を囲むように障壁を形成し、火炎や高熱気が棟開口内に入り込むことを確実に阻止する。
【００２０】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２１】
【図１】本発明に係る棟換気材の一実施形態の側面斜視図である。
【図２】本発明に係る棟換気材の一実施形態の表面側斜視図である。
【図３】本発明に係る棟換気材の一実施形態の裏面側斜視図である。
【図４】本発明に係る棟換気材の使用状態図である。
【図５】従来の棟換気材の一構成例を示す図である。
【図６】従来の棟換気材の他の構成例を示す図である。
【符号の説明】
【００２２】
１、２    通気部材
３        天板
４        パッキン
５        釘穴
６        着座部
７        不燃性熱膨張材
８        通気路
９        結露防止シート
１０        釘
１１        棟開口
１２        野地板
【図１】
2008297811.tif 000003
【図２】
2008297811.tif 000004
【図３】
2008297811.tif 000005
【図４】
2008297811.tif 000006
【図５】
2008297811.tif 000007
【図６】
2008297811.tif 000008